(57)【要約】  本発明は、家禽卵から卵液を得るための装置であって、家禽卵をその主軸に沿って実質的に縦方向に固定式に保持し、位置決めするための卵ホルダと、卵開放装置であって、縦方向に位置決めされた後で家禽卵を両端部において切り落とし、それによって液体を下方向に流して落下させ、卵ホルダの下方に配置された少なくとも１つの液体収集リザーバに入れる、卵開放装置と、家禽卵の位置決めならびに前記開放装置および前記卵ホルダの駆動を制御するための制御装置とを備える、装置に関し、その一方で本発明は、家禽卵から卵液を収集するための方法であって、各卵に対する次の連続する工程、すなわち、卵をその主軸に対して平行に実質的に卵の両側において把持する工程であって、卵は、その主軸に沿って実質的に縦方向に位置決めされる、工程と、卵を両端部において切り落とす工程と、上方から両端部内にブローして、液体を付勢して下方向に流し、落下させて少なくとも１つの液体収集リザーバに入れる工程とを含む、方法も含む。この装置および方法は、家禽卵から卵液を収集するためのシステムを構築するように設計される。本発明を適用することにより、卵液を収集することにおいて良好な結果が得られ、非常に有利な卵液処理パラメータおよび適切な衛生状態を与えることが明らかである。
2019527577.tif 000002
【特許請求の範囲】
【請求項１】
家禽卵から卵液を得るための装置であって、
家禽卵をその主軸に沿って実質的に縦方向に固定式に保持し、位置決めするための卵ホルダと、
卵開放装置であって、縦方向に位置決めされた後で前記家禽卵を両端部において切り落とし、それによって液体を下方向に流して落下させ、前記卵ホルダの下方に配置された少なくとも１つの液体収集リザーバに入れる、卵開放装置と、
前記家禽卵の位置決めならびに前記開放装置および前記卵ホルダの駆動を制御するための制御装置とを備える、装置。
【請求項２】
前記開放装置が、５≦ｄ≦２０ｍｍである直径ｄを有する円に実質的に沿って延びる切断先端部を備えることを特徴とする、請求項１に記載の装置。
【請求項３】
前記円が、前記主軸に対して実質的に垂直な平面内に配置されることを特徴とする、請求項２に記載の装置。
【請求項４】
前記卵ホルダが、卵をその主軸に対して実質的に平行に両側においてクランプするためのクランプ装置を備え、前記クランプ装置は、実質的に水平な軸周りで回転可能であることを特徴とする、請求項１から３のいずれか一項に記載の装置。
【請求項５】
前記クランプ装置が、２つのクランプ・ハンドを備えることを特徴とする、請求項４に記載の装置。
【請求項６】
前記卵開放装置が、レーザ・ビームを含む切断先端部を使用するように構成されることを特徴とする、請求項１から５のいずれか一項に記載の装置。
【請求項７】
前記装置が、前記レーザ・ビームを提供するためのレンズのシステムを含むことを特徴とする、請求項６に記載の装置。
【請求項８】
レンズの前記システムが、少なくともアキシコン・レンズを含むことを特徴とする、請求項７に記載の装置。
【請求項９】
前記レーザ・ビームが、ＣＯ２レーザ装置によって生成されることを特徴とする、請求項６から８のいずれか一項に記載の装置。
【請求項１０】
前記レーザ・ビームが、Ｎｄ：ＹＡＧレーザ装置によって生成されることを特徴とする、請求項６から８に記載の装置。
【請求項１１】
前記装置が、卵殻片吸引口と、ガス・ブロー口をさらに備え、これらはそれぞれ、前記卵の両端部に対して移動することによって、切り離された殻片をその後除去し、卵液を切断された卵から外方向にブローして、前記卵液を付勢して前記卵から下方向に流して落下させ、滴下させるように構成されたことを特徴とする、請求項１から１０のいずれか一項に記載の装置。
【請求項１２】
前記装置が、卵切断先端部を提供するための超音波振動発生装置を含むことを特徴とする、請求項１から１１のいずれか一項に記載の装置。
【請求項１３】
前記発生装置が、ホーン・タイプの振動装置であることを特徴とする、請求項１２に記載の装置。
【請求項１４】
前記ホーンが、超音波振動によって切断すると共に、卵殻片を吸引するために使用されることを特徴とする、請求項１３に記載の装置。
【請求項１５】
家禽卵から卵液を収集するための方法であって、各卵に対する以下の連続する工程、すなわち、
前記卵をその主軸に対して平行に実質的に前記卵の両側において把持する工程であって、前記卵は、その主軸に沿って実質的に縦方向に位置決めされる、工程と、
前記卵を両端部において切り落とす工程と、
上方から前記両端部内にブローして、前記液体を付勢して下方向に流し、落下させて少なくとも１つの液体収集リザーバに入れる工程と、
を含む、方法。
【請求項１６】
前記卵をその上端部において切り落とす工程であって、前記卵は、第１の切り落としの後で前記卵の短軸周りで、特に実質的に１８０度の回転で回転される、工程をさらに備える、請求項１５に記載の方法。
【請求項１７】
請求項１から１４のいずれか一項に記載の装置を使用して実施される、請求項１５または１６に記載の方法。
【請求項１８】
家禽卵から卵液を収集するためのシステムであって、
卵供給装置と、
卵開放装置と、
卵液受け取り装置と、
対応する全卵液収集カップ内に卵を流し落下させた後卵液内容物を検出するためのカメラ・システムと、
卵白−卵黄分離装置と、
卵黄収集リザーバと、
卵白収集リザーバと、
全卵液収集リザーバとを備える、システム。
【請求項１９】
液体を卵からカップ内に流出させるためのブロー装置を用いることを特徴とする、請求項１８に記載のシステム。
【請求項２０】
前記システムが、請求項１から１４のいずれか一項の装置の１つまたは複数をさらに備えることを特徴とする、請求項１８または１９に記載のシステム。
【発明の詳細な説明】
【技術分野】
【０００１】
本発明は、家禽から卵液を得るための装置に関する。さらに、本発明は、家禽卵から卵液を得るための方法、およびそのような方法を実施するための対応するシステムに関する。
【背景技術】
【０００２】
そのような装置は、卵白および卵黄を第１の工程で回収し、第２の工程で別個に処理するように家禽卵を破砕装置内で割ることが一般的であるこの工業用途分野では広く知れ渡っており、よく知られている。
【０００３】
たとえば、卵を割る破砕装置が存在しており、この破砕装置には、別々の卵黄収集カップおよび卵白収集カップが設けられており、これは、たとえば欧州特許第１９８８８０５号に開示されている。
卵黄および卵白を収集する別の例は、ＮＬ１０１０９１０に示されている。この文献では、液体を僅かに下方向に移動させるように斜めに配置されたガッタ内に卵黄および卵白の両方が一緒に受けられるように卵を割ることが開示されている。そのような組立体は、しばしばシュートと呼ばれる。その後卵白および卵黄を分離するために、ガッタ壁が僅かに分離されてスリーブを形成し、その間を通って卵白が下方向に流れ、滴下し、落下し、一方で卵黄はガッタの遠位端部に移動し、そこで大きな容器内に落下する。
明らかなことに、液体成分を収集する両方の方法、すなわち割ることおよび分離することをほとんど同時に行う第１のもの、および割ることおよび分離することを順次行う第２のものは、適切な結果を得ることが示されている。
【０００４】
上記では、詳細には卵黄および卵白を得て収集するためのルートに対処されている。高い関心がもたれる別の問題は、卵を開く方法である。上記の文献でも読み取ることができるように、そこでは卵は、上方向運動でそのような卵の下方から打ち破るナイフによって切断される。結果として生じた主に２つの卵殻の半体が、側部保持部分内に保持され、一方で液体は下方向に落下し、流れ、滴下する。
この方法は長年使用されてきているが、平均的にいくらかの液体が常に失われており、一方で卵殻片がしばしば液体内に混合されることが明確になり得る。
【０００５】
別の開く方法が、たとえば、ＤＥ１０２００９０５２９７６、米国特許第５２８５７５０号、ＤＥ１２００４０２１３１５、ＤＤ２９１４７１、または国際公開第０２１９８８１号に提示されており、そのような卵殻をレーザ切断するためのレーザの使用を開示している。
米国特許第５２８５７５０号では、ＣＯ２レーザまたはＮｄ−ＹＡＧ−レーザが、接種目的で非常に小さい穴（０．５−１ｍｍ）を卵殻内に開けることから使用される。
ＤＤ２９１４７１および国際公開第０２１９８８１号では、レーザは、卵の主（すなわち長い）軸の約半分のところの通常の場所で卵殻を切断している。
【０００６】
ＤＥ１０２００４０２１３１５では、家禽卵から卵白および卵黄を分離するための機械が開示されている。２つの側を開いた後、液体は外にブローされ、その後収集される。
明確には、次の方策および工程順序が説明され、特許請求されている。
−  卵を加速器内に配置した後、前記卵は、そのような卵内の卵黄が卵の鈍角側に移動されるように加速される。
−  そのような加速の後、卵はくぼみ内に実質的に縦方向に置かれ、それによって先端を下側に鈍角側を上側にして円錐シート内に載置する。
−  前記下側をナイフ先端部またはレーザで切り落とす。
−  上側の少なくとも１つの位置で、卵殻を貫き適切な（ａｃｃｏｒｄｉｎｇ）ピン穴を作り出す。
−  すべての液体を前記卵から付勢するために、たとえば空気をブローして前記ピン穴に通す。
−  卵から外にブローした後、前記液体をすべて収集する。
ここでは、装置のセット・アップの性能は、以下の特徴の組み合わせに大きく依存する。
−  卵を位置決めし、配向すること、
−  適切なブロー穴の配置をうまく行うこと、および
−  そのような穴に通すブロー、たとえばブロー時間。
この破砕機のセット・アップは明確に定められた液体収集をもたらすが、多くの改良の余地が明らかである。
たとえば、卵を位置決めする方法では、このセット・アップ内に残される自由度は多すぎる。
さらに、きちんと決められた液体取り出し穴を得るには、卵殻処理もまた改良されなければならない。
【発明の概要】
【発明が解決しようとする課題】
【０００７】
本発明は、知られているシステムのそのような欠点を解消することを目的とする。本発明の一態様によれば、この目的のために、装置であって、
−  そのような卵をその主軸に沿って実質的に縦方向に固定式に保持し、位置決めするための卵ホルダと、
−  卵開放装置であって、縦方向に位置決めされた後で家禽卵を両端部において切り落とし、それによって液体を下方向に流して落下させ、卵ホルダの下方に配置された少なくとも１つの液体収集リザーバに入れる、卵開放装置と、
−  家禽卵の位置決めならびに前記開放装置および前記卵ホルダの駆動を制御するための制御装置とを備える、装置が提供される。
【課題を解決するための手段】
【０００８】
本発明を適用することにより、卵液を収集することにおいて良好な結果が得られ、非常に有利で効率的かつ確実な卵液処理パラメータおよび改善された衛生状態を与えることが明らかである。
【０００９】
本発明の装置の別の実施形態は、次のさらなる有利な特徴の１つまたは複数を特徴とする：
前記開放装置は、５≦ｄ≦２０ｍｍである直径ｄを有する円に実質的に沿って延びる切断先端部を備え、
前記円は、前記主軸に対して実質的に垂直な平面内に配置され、
前記卵ホルダは、卵をその主軸に対して実質的に平行に両側でクランプするためのクランプ装置を備え、
卵ホルダは、特に実質的に水平な軸の周りで回転可能である回転可能なクランプ装置を備える、
前記クランプ装置は、２つのクランプ・ハンドを備え、
前記切断先端部は、レーザ・ビームを含み（またはこれによってもたらされる）、
前記レーザ・ビームは、レンズ（およびたとえばレーザ源）のシステムによって得られ、
レンズの前記システムは、少なくともアキシコン・レンズを備え、
前記レーザ・ビームは、ＣＯ２レーザ装置によって生成され、
前記レーザ・ビームは、Ｎｄ：ＹＡＧレーザ装置によって生成され、
前記装置は、卵殻片吸引口をさらに備え、
装置は、ガス・ブロー口をさらに備える。
卵殻片吸引取付体およびガス・ブロー口はそれぞれ、卵端部に対して（およびこれから離れるように）移動することによって、切り離された殻片をその後除去し、卵液を切断された卵から外方向にブローして、卵液を付勢して卵から下方向に流し、落下させ、滴下させる。
前記切断先端部は、超音波振動発生装置である（またはこれによってもたらされる）。
前記発生装置は、ホーン・タイプの振動装置である。
前記ホーンは、超音波振動によって切断すると共に、卵殻片を吸引するために使用される。
【００１０】
そのようなコンパクトなレーザ切断装置または超音波切断装置を有することで、本発明のセット・アップは、これまで使用されてきた従来技術のナイフ破砕ユニットと置き換わるのに非常に適していることが明らかである。
【００１１】
これまで利用可能であり、上記で言及したような装置の作業方法を有する卵を切断するための方法を改良するために、本発明による方法は、次の連続する工程、すなわち、
−  卵をその主要軸に対して平行に実質的に卵の両側において把持する工程であって、卵は、その主要軸に沿って実質的に縦方向に位置決めされる、工程と、
−  卵を両端において切り落とす工程と、
−  上方からそのような端部内にブローして、液体を付勢して下方向に流し、落下させて少なくとも１つの液体収集リザーバに入れる工程とを含む。
【００１２】
本発明の実施形態による装置および方法の別の大きな利点として、特にこうした種類の殻片の切断および除去のさらにより正確な処理が生じる場合に、衛生状態が極めて改善される。一方では、液体内に残存する殻片はかなり低減され、その一方で他方では、連続する卵上で続けて何回も使用される破砕機ナイフ（従来技術の方法で使用されるもの）による相互汚染が完全に回避される。
【００１３】
さらに、本発明の作業方法の結果として良好に縁取りされた開口穴を有することで、結果として、前記ブローはより効率的かつ適切となり、それにより、卵液取り出し量に関する性能をこれに対応して改善する。
【００１４】
本発明の方法の別の実施形態は、卵をその上端部において切り落とす工程であって、前記卵は、第１の切り落としの後で卵の短軸周りで回転される、工程を特徴とする。
【００１５】
本発明は、さらに、
家禽卵から卵液を収集するためのシステムであって、
−  卵供給装置と、
−  卵開放装置と、
−  卵液受け取り装置と、
−  対応する全卵液収集カップ内に卵を流し、落下させた後、卵液内容物を検出するためのカメラ・システムと、
−  卵白−卵黄分離装置と、
−  卵黄収集リザーバと、
−  卵白収集リザーバと、
−  全液卵収集リザーバとを備える、システムをさらに備える。
特に、そのようなシステムは、液体を卵からカップ内に流出させるためのブロー装置を用いることを特徴とする。
【００１６】
本発明のシステムは、設置面積、液体産出量、ならびにとりわけ、液体生成物に関する、および現在では洗浄の回数が極めて低減されたシステム部材に関する両方の衛生状態に関して、利点を与えることが明らかである。
【００１７】
これ以後、本発明は、図を参照することによって詳細に説明される。
【図面の簡単な説明】
【００１８】
【図１】レーザ切断によって卵を開くための第１の状況にある本発明の装置の非限定的な実施形態を示す図である。
【図２】第２の状況にある図１の装置を示す図である。
【図３】第３の状況にある図１、２の装置を示す図である。
【図４】超音波振動切断によって卵を開くための状況にある本発明の装置の別の実施形態を示す図である。
【図５】先行する図１、２、３または４の１つに示すような装置を備える、本発明によるシステムの実施形態を提示する図である。
【図６】複数の卵をレーザ切断するための高出力レーザ・ビーム分岐システムの概略図である。
【発明を実施するための形態】
【００１９】
それぞれの図では、同じ部材または表示は、同一に番号付けされ、または標識される。
【００２０】
図１では、本発明の一例による卵開放装置１の第１の実施形態の等角図が示され、第１の作業状況を提示している。装置１は、
−  卵を実質的に縦方向の配向で（すなわち卵の中央主軸を図のように実質的に縦方向の配向にして）保持するように構成された卵ホルダ５ａ、５ｂと、
−  ホルダ５ａ、５ｂによって保持された卵を両端において切り落とすための卵開放装置と、
−  卵液を収集するための少なくとも１つの液体収集リザーバ１４（図５を参照）であって、卵ホルダの下方に配置された、液体収集リザーバと、
−  そのような卵の位置決めならびに前記開放装置および前記卵ホルダの駆動を制御するための制御装置６とを含む。
【００２１】
より具体的には、第１の実施形態のこの装置は、卵Ｅを両端においてレーザ光によって切り落とすためのレーザ切断装置１である。この第１の状況では、そのようなレーザ光は、実質的に水平に入来する光ビーム２ａとして供給され、その後鏡またはビーム・スプリッタ３によって曲げられ、レンズ・システム４によって処理され、切断光ビーム２ｂとして前記卵に露出される。
この図１に示すように、装置１は、グリッパ回転ユニットに装着されたグリッパ半体５ａ、ｂを備えた、グリッパ・コントロール６を有する卵グリッパまたはホルダと、ガス供給導管８１を備えた液体ブロー・ユニットと、吸引ガイド７１を備えた卵殻片吸引ユニット７とをさらに備える。
図１に見ることができるように、グリッパ半体５ａの設計は、半体５ｂの設計とは異なる。ｈｔｔｐ：／／ｗｗｗ．ｍｏｂａ．ｎｅｔ／ｐａｇｅ／ｎｌ／Ｐａｃｋｉｎｇ／Ｍｏｂａ−Ｆａｒｍｐａｃｋｅｒｓ／Ｍｏｐａｃｋ−１００に参照される、ＭＯ  ＰＡＣＫ  １００製品の所有者である出願者にとって、この設計は非常に適しており、より具体的には、非常に適した特定の方法の把持および保持方法を有することを示している。しかし、異なる設計も同様に適し得る。卵Ｅは、その長い軸を実質的に縦方向にして把持される。
【００２２】
当業者には、レンズ・システム４の数多くの構成、たとえばアキシコン・レンズ・システム（たとえば入来するレーザ・ビームをリングに、すなわち前記卵殻切断先端部に変えるように構成されたレンズまたは光学要素）を含んで適用することができることが明確になり得る。同じことが光、任意選択のブロー・ガス、たとえば空気または窒素、ならびにたとえば約室温で、最大１．５バールおよび最大２秒までの、上記で参照したような周波数範囲の光など、作用温度、ガス圧力、およびブロー時間にも言える。
【００２３】
図２は、その後の作業状況、すなわち卵Ｅの一端が切断された後の同じ装置１を示しており、光ビームは停止または遮断され、一方で卵殻片吸引ユニットの吸引口７１は、吸い出される切断部上に位置決めされる。
【００２４】
図３に見ることができるように、卵Ｅは回転され、ここではグリッパ半体５ｂが見える方向にある。これは、グリッパ・コントロール６の一部であるグリッパ回転部６１を、１８０度の角度にわたって回転させることによって達成され、ここでもその長い軸は実質的に縦方向にある。
【００２５】
光ビームを停止させた後、図２に関して説明した吸引が繰り返され、こうして第２の開口部を与え、その後、ブロー口端部を備えたブロー・ユニット８が、ブロー・ガスを下方向にブローするために前記第２の開口部上に位置決めされ、それによってほとんどすべての卵液を流出させる。
【００２６】
こうして上記から、装置１は、以下の工程、
−  卵Ｅを第１の実質的に縦方向の配向で位置決めする工程、
−  卵の一端、特に上方向を向く卵端部を切り落とす工程、
−  卵Ｅを第１の実質的に縦方向の配向から第２の実質的に縦方向の配向（すなわち約１８０度の回転角度にわたって）回転させる工程、
−  卵の他方の端部（たとえば卵の回転によって上方向を向く他方の端部）を切り落とす工程、
−  卵流体を切り落とされた卵Ｅから収集する工程を適切な順序で実施するように構成できるという結果となる。
【００２７】
本明細書では、卵流体の流れは、切り落とし後、流れ誘発剤によって、たとえば前記ブロー剤、たとえばガスまたは空気によって強化されるか、または誘発される。また、好ましくは、各切断された卵端部は、たとえば前記吸引口７１によって卵から能動的に除去される。
【００２８】
図４は、卵Ｅを両側において切り落とすための本発明の装置１００の別の実施形態、すなわち超音波振動コントロールを有する超音波切断ユニット１００を示す。上記で説明したのと同じようにして、卵Ｅは、前記グリッパ半体５ａ、ｂによって位置決めされる。
【００２９】
切り落とすプロセスを開始するために、前記ユニットは、空気式駆動装置によって卵Ｅに滑らかに押し込まれ、その後ユニットは、その超音波振動モードに切り替えられて、このユニット１００の超音波ホーン１０３の端部である傾斜した切断縁１０３１において超音波振動を与える。振動モードをオフに切り替えた後、この同じホーンは、吸引チューブ１０４を通る吸引ガイドとして使用される。その後、卵Ｅは、Ｅの他方の端部を超音波切断ユニット１００に露出させるために、前に説明したようにグリッパ回転ユニット６１によって回転される。
したがって、そのような超音波振動ユニットのさらなる詳細がそのようにして、特開２００３−２６６３８８およびＨｉｋａｒｕ  ＭＩＵＲＡ、  Ｅｇｇｓｈｅｌｌ  Ｃｕｔｔｅｒ  Ｕｓｉｎｇ  Ｕｌｔｒａｓｏｎｉｃ  Ｖｉｂｒａｔｉｏｎ、  Ｊｐｎ  ．Ｊ．Ａｐｐｌ．Ｐｈｙｓ．Ｖｏｌ４２（２００３）、ｐｐ．２９９６−２９９９に詳細に説明され記載されている。
【００３０】
当業者には、空気式駆動装置を制御することが、適切な切断を得るための高い関心事であることが明確になり得る。たとえば、ばね装着された縁部が、そのような切断に好ましい。さらに、前記コントロールは、たとえば欧州特許第７３８８８８号による卵殻特性同時検出に基づくことができる。
【００３１】
図５では、本明細書の上記で説明した複数の装置１、１００を備えるシステムが、概略的に提示される。説明を容易にするために、卵ホルダ・コンベヤまたは卵供給コンベヤ１１の１つのレーンに沿って供給される卵に対して１つの装置１のみが使用されるように示されている。卵は、卵取り上げステーション１０から前記供給コンベヤ１１によって取り上げられ、このコンベヤ１１は、卵を直列の卵の列として輸送するエンドレス・コンベヤである。
そのような取り上げセクションは、たとえばＭｏｂａの上述したウエブサイトで公開され、説明されているようなＭＯＰＡＣＫ  １００  ｅｇｇ  ｐａｃｋｅｒからよく知られている。
そのような卵が装置１、１００によって切り落とされた後、卵黄および卵白の両方を含む液体は、好ましくは下方向に外にブローされて、たとえば前記装置１、１００の下方を通る、この例では、対応する１つのレーンの収集カップ・コンベヤ１３の一部である、カップ（または異なるリザーバ）に入れられる。このコンベヤ１３はまた、たとえば、カップを直列のカップの列として輸送するエンドレス・コンベヤでもある。
それぞれのコンベヤ１１、１３の輸送方向が標識され、ＴEは卵コンベヤ輸送方向であり、ＴLは卵液輸送コンベヤである（図５を参照）。
コンベヤ１１、１３の位置決めは、その縦方向のエンドレス・コンベヤ平面が実質的に垂直であり、一方でこれらのコンベヤ平面の交差部に、切断装置１、１００が配置されるようなものである。
そのような卵からの液体が受け取られ、収集された後、液体は、好ましくは、たとえば卵黄、卵殻片の破損、変色に関してカメラ・システム１２によって観察され確認され、それによって信号および対応するデータを得て、これらの信号およびデータは、中央処理ユニット（ＣＰＵ）内で処理される。
【００３２】
液体を含むカップを処理することは、
−  卵黄が無傷またはほぼ無傷であり、殻片を有さない場合、液体は卵黄−卵白（ＹＡ）分離ユニットに放出され、
−  他のすべての場合、液体は、さらなる処理のためにいわゆる全液卵（ＬＷＥ）リザーバ１５に放出されるようにプログラムすることができる。
【００３３】
より具体的には、そのようなＹＡおよびＬＷＥ処理は、たとえば上記で参照したＮＬ１０１０９１０に説明したように実施される。
当業者に明確であるように、通常、前記コンベヤはそれぞれ、２本以上のレーン、たとえば４本、または６本または９本、またはそれ以上のレーンを備えることができる。この図では、さらに抜け殻収集リザーバ１６も示される。
【００３４】
マルチエッグ・カッタ・システムをできるだけ、組織化し、簡単にし、保護するために、単一の高出力レーザＬが好ましくは使用される。従来的に、高出力レーザは、１から１０ｋＷの間の出力性能を有する。
そのようなシステムの一実施形態が、図６に提示される。この特有のシステムをいわゆる１６レーンの破砕装置に使用するために、（レーザ源Ｌからの）単一レーザ・ビームＬ０が、１６個のレーザ切断ビームＣ１〜Ｃ２、…Ｃ１６に細分される。すべてのＣ１〜Ｃ１６のビームに対して、４つのビーム・スプリッタＳが使用される。分割後のビームをいくつかのルートに変更する必要があるため、追加の鏡Ｍも使用される。複数レーン破砕装置を、１６本より多いまたは少ないレーンおよびそれぞれのレーザ切断ビームに関連付けることもでき、適切なレーザ切断ビームが所望の卵カッタに所望の卵切断時間において存在するようにレーザ・ビームＬ０を細分し、または切り替えるために、さまざまな光学手段または光学要素が存在することができることを当業者は理解するであろう。
【００３５】
図６では、簡単にするために、一部のルートに関してのみスプリッタＳおよび鏡Ｍが示されている。この図６のルートのツリーの平面に関して、切断ビームＣ１〜Ｃ１６は、卵コンベヤのレーンの平面および液体コンベヤの平面に対して垂直に選択され、このとき輸送方向ＴEおよびＴLは、図５を参照して説明された通りである。この図６では、液体コンベヤの１つのレーンのみが示される。当業者には、「液体」検出に複数のレーンが可能であることも明確になり得る。
【００３６】
このようにして、相対的に多数の卵を確実に効率的に極めて衛生的な方法で処理する（特に空にする）ことができる。
【００３７】
本発明は上記で説明した実施形態に限定されないことが、当業者に明確になるはずである。多くの代替策が、以下の特許請求の範囲に述べるような保護の範囲内で可能である。
【００３８】
たとえば、装置は、卵開放装置が卵を、これが単一の実質的に縦方向の配向にあるときに（たとえば卵の中間回転無しに）両端において切り落とすように、または卵が回転前後に切り落とされるように配置され得る。
【００３９】
また、たとえば、制御装置は、さまざまな方法で構成することができ、制御装置によってとられるそれぞれの制御工程を実施するのに適した１つまたは複数の制御手段を含むことができ、これは当業者に理解されるであろう。
【符号の説明】
【００４０】
Ｔ-E  輸送方向  卵コンベヤ
Ｔ-L  輸送方向  液体コンベヤ
Ｅ  卵
Ｌ  レーザ源
Ｌ０  高出力レーザ・ビーム
Ｃ１…Ｃ１６  レーザ切断ビーム
Ｓ  ビーム・スプリッタ
Ｍ  鏡
１０  卵取り上げステーション
１１  卵ホルダ・コンベヤ
１２  カメラ・システム
１３  収集カップ・コンベヤ
１４  ＡＹ分離ユニット
１５  ＬＷＥリザーバ
１６  抜け殻収集リザーバ
１  光切断ユニット
２ａ  入来光ビーム
２ｂ  切断光ビーム
３  鏡、ビーム・スプリッタ
４  レンズ・システム
５ａ、ｂ  グリッパ半体
６  グリッパ・コントロール
６１  グリッパ回転ユニット
７  卵殻片吸引ユニット
７１  吸引ガイド
７２  吸引口
８  卵液ブロー・ユニット
８１  ガス供給ガイド
１００  超音波切断ユニット
１０１  空気式駆動装置
１０２  超音波振動コントロール
１０３  超音波ホーン
１０３１  傾斜した切断縁
１０４  吸引チューブ
【図１】
2019527577.tif 000003
【図２】
2019527577.tif 000004
【図３】
2019527577.tif 000005
【図４】
2019527577.tif 000006
【図５】
2019527577.tif 000007
【図６】
2019527577.tif 000008
【国際調査報告】
2019527577.tif 000009
2019527577.tif 000010